(57)【要約】【課題】放熱特性の高い発光装置を提供することにある。【解決手段】支持基板と、第１電極、有機ＥＬ層および第２電極がこの順で前記支持基板上に積層されて構成される有機ＥＬ素子と、前記支持基板上に設けられ、外部の電力供給源と電気的に接続される第１取出電極と、前記支持基板上に設けられ、外部の電力供給源と電気的に接続される第２取出電極と、前記第２電極から延在し、前記第２取出電極に接続される接続電極とを有する発光装置であって、支持基板上において前記第２電極から延在する第１放熱部をさらに有し、前記第１取出電極は、前記支持基板上において前記第１電極から延在し、前記第２取出電極は、前記支持基板上において前記第１電極および前記第１取出電極とは離間して配置され、前記第１放熱部は、前記第１電極および前記第１取出電極とは電気的に絶縁されている、発光装置。【選択図】図１
2011210409.tif 000002
【特許請求の範囲】
【請求項１】
支持基板と、
第１電極、有機ＥＬ層および第２電極がこの順で前記支持基板上に積層されて構成される有機ＥＬ素子と、
前記支持基板上に設けられ、外部の電力供給源と電気的に接続される第１取出電極と、
前記支持基板上に設けられ、外部の電力供給源と電気的に接続される第２取出電極と、
前記第２電極から延在し、前記第２取出電極に接続される接続電極とを有する発光装置であって、
支持基板上において前記第２電極から延在する第１放熱部をさらに有し、
前記第１取出電極は、前記支持基板上において前記第１電極から延在し、
前記第２取出電極は、前記支持基板上において前記第１電極および前記第１取出電極とは離間して配置され、
前記第１放熱部は、前記第１電極および前記第１取出電極とは電気的に絶縁されている、発光装置。
【請求項２】
第２取出電極上において前記接続電極から延在する第２放熱部をさらに備える請求項１記載の発光装置。
【請求項３】
前記支持基板の厚み方向の一方から見て、前記第１放熱部の少なくとも一部が前記第１取出電極と重なるように配置され、
前記支持基板の厚み方向の一方から見て、前記第１放熱部と前記第１取出電極とが重なる部位において、前記第１放熱部と前記第１取出電極との間に電気絶縁膜が設けられている、請求項１または２に記載の発光装置。
【請求項４】
熱伝導率に膜厚を積算した値が、第１電極よりも第２電極の方が大きい、請求項１〜３のいずれか１つに記載の発光装置。
【請求項５】
熱伝導率に膜厚を積算した値が前記第１取出電極よりも大きい補助放熱部が、前記第１取出電極に接して設けられている請求項１〜４のいずれか１つに記載の発光装置。
【請求項６】
第２電極の熱伝導率が、３０Ｗ／（ｍ・Ｋ）以上である、請求項１〜５のいずれか１つに記載の発光装置。
【請求項７】
前記第２電極の膜厚が１００ｎｍ以上である、請求項１〜６のいずれか１つに記載の発光装置。
【発明の詳細な説明】
【技術分野】
【０００１】
本発明は発光装置に関する。
【背景技術】
【０００２】
発光装置にはその光源を異にする種々の装置がある。そのひとつとして現在、光源に有機ＥＬ（Ｅｌｅｃｔｏｒｏ  Ｌｕｍｉｎｅｓｃｅｎｃｅ）素子を用いた発光装置が実用化されつつある。
【０００３】
有機ＥＬ素子は使用時に発熱するため、その温度が上昇する。使用時における素子の高温化は有機ＥＬ素子の劣化を促進する。そのため素子の温度上昇を抑制するための種々の放熱対策が検討されている。このような放熱対策としてたとえば有機ＥＬ素子上に熱拡散性の高い放熱部材を設けている。従来の技術では放熱部材の熱拡散性を高めるために、熱拡散性の高い金属によって放熱部材を形成するとともに、その表面積を大きくするために放熱部材の表面に凹凸を形成している（たとえば特許文献１参照。）。
【先行技術文献】
【特許文献】
【０００４】
【特許文献１】特開２００２−３４３５５９号公報
【発明の概要】
【発明が解決しようとする課題】
【０００５】
従来の技術のような放熱部材を設けただけでは放熱特性が必ずしも十分とはいえず、発光装置の放熱特性の更なる向上が求められている。したがって本発明の目的は放熱特性の高い発光装置を提供することにある。
【課題を解決するための手段】
【０００６】
本発明は、支持基板と、
第１電極、有機ＥＬ層および第２電極がこの順で前記支持基板上に積層されて構成される有機ＥＬ素子と、
前記支持基板上に設けられ、外部の電力供給源と電気的に接続される第１取出電極と、
前記支持基板上に設けられ、外部の電力供給源と電気的に接続される第２取出電極と、
前記第２電極から延在し、前記第２取出電極に接続される接続電極とを有する発光装置であって、
支持基板上において前記第２電極から延在する第１放熱部をさらに有し、
前記第１取出電極は、前記支持基板上において前記第１電極から延在し、
前記第２取出電極は、前記支持基板上において前記第１電極および前記第１取出電極とは離間して配置され、
前記第１放熱部は、前記第１電極および前記第１取出電極とは電気的に絶縁されている、発光装置に関する。
また本発明は、第２取出電極上において前記接続電極から延在する第２放熱部をさらに備える発光装置に関する。
また本発明は、前記支持基板の厚み方向の一方から見て、前記第１放熱部の少なくとも一部が前記第１取出電極と重なるように配置され、
前記支持基板の厚み方向の一方から見て、前記第１放熱部と前記第１取出電極とが重なる部位において、前記第１放熱部と前記第１取出電極との間に電気絶縁膜が設けられている、発光装置に関する。
また本発明は、熱伝導率に膜厚を積算した値が、第１電極よりも第２電極の方が大きい、発光装置に関する。
また本発明は、熱伝導率に膜厚を積算した値が前記第１取出電極よりも大きい補助放熱部が、前記第１取出電極に接して設けられている発光装置に関する。
また本発明は、第２電極の熱伝導率が、３０Ｗ／（ｍ・Ｋ）以上である、発光装置に関する。
前記第２電極の膜厚が１００ｎｍ以上である、発光装置に関する。
【発明の効果】
【０００７】
本発明によれば放熱特性の高い発光装置を実現することができる。
【図面の簡単な説明】
【０００８】
【図１】発光装置１を模式的に示す図である。
【図２】発光装置１を模式的に示す図である。
【図３】発光装置１を模式的に示す図である。
【図４】発光装置１を模式的に示す図である。
【図５】発光装置１を模式的に示す図である。
【発明を実施するための形態】
【０００９】
本発明の発光装置は、支持基板と、第１電極、有機ＥＬ層および第２電極がこの順で前記支持基板上に積層されて構成される有機ＥＬ素子と、前記支持基板上に設けられ、外部の電力供給源と電気的に接続される第１取出電極と、前記支持基板上に設けられ、外部の電力供給源と電気的に接続される第２取出電極と、前記第２電極から延在し、前記第２取出電極に接続される接続電極とを有する発光装置であって、支持基板上において前記第２電極から延在する第１放熱部をさらに有し、前記第１取出電極は、前記支持基板上において前記第１電極から延在し、前記第２取出電極は、前記支持基板上において前記第１電極および前記第１取出電極とは離間して配置され、前記第１放熱部は、前記第１電極および前記第１取出電極とは電気的に絶縁されている。
【００１０】
＜発光装置の構成＞
まず発光装置の構成について説明する。図１は本発明の実施の一形態の発光装置１を模式的に示す図である。図１（１）は発光装置１の平面図であり、図１（２）は図１（１）の切断面線ＩＩ−ＩＩから見た発光装置１の断面図であり、図１（３）は図１（１）の切断面線ＩＩＩ−ＩＩＩから見た発光装置１の断面図である。発光装置は１つの有機ＥＬ素子のみを備えていてもよく、また複数の有機ＥＬ素子を備えていてもよいが、本実施形態では一例として１つの有機ＥＬ素子を備える発光装置の構成について説明する。
【００１１】
発光装置１は、支持基板２と、この支持基板２上に設けられる有機ＥＬ素子３とを備える。有機ＥＬ素子３は、第１電極４、有機ＥＬ層５および第２電極６がこの順で支持基板２上に積層されて構成される。本明細書では、支持基板２の厚み方向Ｚの一方から見て（以下「平面視で」ということがある。）有機ＥＬ素子３を構成する全ての層が重なる部位を有機ＥＬ素子３という。すなわち本明細書では、第１電極４、有機ＥＬ層５および第２電極６の全ての層が積層された部位であって、支持基板２の厚み方向Ｚの一方から見て発光が生じる部位を有機ＥＬ素子３という。後述するように発光装置には第１電極４および第２電極６から延在する部材が設けられるが、本明細書では有機ＥＬ素子３の電極として機能する部位のみを第１電極４および第２電極６と記載する。そして本明細書では第１電極４および第２電極６から延在する部材であって、有機ＥＬ素子の一部を構成しない部材の名称を、第１電極４および第２電極とは区別して記載する。
【００１２】
第１電極４および第２電極６のうちの一方の電極は光透過性を示す電極によって構成される。本発明は第１電極４が光透過性を示す電極によって構成された有機ＥＬ素子にも、第２電極６が光透過性を示す電極によって構成された有機ＥＬ素子にも適用することができるが、本実施形態では一例として第１電極４が光透過性を示す電極によって構成された有機ＥＬ素子について説明する。すなわち光が、第１電極４および支持基板２を通って、発光装置から外界に出射する構成の、いわゆるボトムエミッション型の有機ＥＬ素子について説明する。なおボトムエミッション型の有機ＥＬ素子を支持基板上に設ける場合には、支持基板も光透過性を示す部材によって構成する必要がある。
【００１３】
有機ＥＬ素子３は１層以上の有機ＥＬ層５を備える。ここで有機ＥＬ層は第１電極４と第２電極６とに挟持される全ての層を意味する。有機ＥＬ素子３は有機ＥＬ層５として少なくとも１層以上の発光層を備える。また電極４，６間には発光層に限らず、必要に応じて所定の層が設けられる。たとえば陽極と発光層との間には有機ＥＬ層として、正孔注入層、正孔輸送層、および電子ブロック層などが設けられ、発光層と陰極との間には有機ＥＬ層として、正孔ブロック層、電子輸送層、および電子注入層などが設けられる。
【００１４】
図１に示すように本実施形態における有機ＥＬ層５は、第１電極４上のみならず、第１電極４の外縁から突出するように設けられている。すなわち有機ＥＬ層５は平面視で第１電極４を覆うようにして形成されている。このような形状の有機ＥＬ層５を設けることによって、後述するように導電性を示す部材が他の部材と不所望に導通することを防ぐことができる。
【００１５】
発光装置１は第１取出電極７をさらに備える。この第１取出電極７は外部の電力供給源と電気的に接続される電極として機能する。第１取出電極７は、支持基板２上において第１電極４から延在して設けられる。すなわち第１取出電極７は第１電極４と一体的に形成されている。第１取出電極７は、たとえば発光装置１を所定の装置に組み込んだときに、コネクタやボンディングワイヤなどによって外部の電力供給源と電気的に接続される。そして電力供給源からの電力は、第１取出電極７を介して第１電極４に供給される。以下、第１電極４から第１取出電極７が延在する方向を第１方向Ｘということがある。
【００１６】
発光装置１は第２取出電極８をさらに備える。この第２取出電極８は外部の電力供給源と電気的に接続される電極として機能する。第２取出電極８は、支持基板２上において第１電極４および第１取出電極７とは離間して配置され、第１電極４および第１取出電極７とは電気的に絶縁されている。本実施形態では第２取出電極８は、第１電極４と第１方向Ｘに所定の間隔をあけて配置されている。第２取出電極８は、第１方向Ｘに延在して配置されるとともに、第１方向Ｘに垂直な第２方向Ｙにも延在して配置されている。なお本明細書において第１方向Ｘおよび第２方向Ｙは、互いに垂直な方向であって、かつそれぞれが支持基板２の厚み方向Ｚに垂直な方向を意味する。
【００１７】
発光装置１は第２電極６と第２取出電極８とを接続する接続電極９をさらに備える。接続電極９は、前記第２電極６から延在し、前記第２取出電極８に接続される。本実施形態における接続電極９は第２電極６の第１方向Ｘの端部から第２取出電極８上にまで第１方向Ｘに延在して設けられている。すなわち接続電極９は第２電極６と一体的に形成されている。このように接続電極９が第２電極６から第２取出電極８にまで延在することによって、この接続電極９を介して第２電極６と第２取出電極８とが電気的に接続される。なお前述したように有機ＥＬ層５は第１電極４を覆うように形成さているため、接続電極９と第１電極４との間には有機ＥＬ層５が介在している（図１（２）参照）。このように有機ＥＬ層５が介在することによって、接続電極９が第１電極４と物理的、電気的に接続されることを防ぐことができる。
【００１８】
第２取出電極８は、第１取出電極７と同様に、外部の電力供給源と電気的に接続される。そのため第２取出電極８および接続電極９を介して外部の電力供給源から所定の電力が第２電極６に供給される。
【００１９】
発光装置１は、支持基板上において第２電極６から延在する第１放熱部１０をさらに有する。本実施形態では第１放熱部１０は、第２電極６の第２方向Ｙの一方の端部から第２方向Ｙの一方に延在する部材１０ａと、第２電極６の第２方向Ｙの他方の端部から第２方向Ｙの他方に延在する部材１０ｂとから構成される。第１放熱部１０は、第２電極６と一体的に形成されており、本実施形態では支持基板２に接して設けられている。前述したように有機ＥＬ層５は第１電極４を覆うように形成さているため、第１放熱部１０と第１電極４との間には有機ＥＬ層５が介在している。このように有機ＥＬ層５を介在させることによって、第１放熱部１０が、前記第１電極４と物理的、電気的に接続されることを防ぐことができる（図１（３）参照）。また本実施形態では平面視で第１放熱部１０は前記第１取出電極７と重ならない位置に形成されている。そのため第１放熱部１０は、前記第１電極４および前記第１取出電極７と電気的に絶縁されている。
【００２０】
以上説明したように、本実施形態の発光装置１は第２電極６から延在する第１放熱部１０を有する。発光装置１を使用する際には有機ＥＬ素子３が発熱するが、素子３に発生した熱は、第２電極６から外界に拡散するとともに、第１放熱部１０にも拡散する。そして第１放熱部１０に拡散した熱はさらに第１放熱部１０から外界に拡散する。このように熱を外界に拡散するために第１放熱部１０を設けることによって、有機ＥＬ素子３の温度上昇を抑制することができる。
【００２１】
なお第１放熱部１０を設けるためのスペースを確保するために、発光装置が大型化することもありうるが、たとえば発光装置の設計上、不可避的に設けられる空いたスペースに第１放熱部１０を設けることによって、第１放熱部１０を設けることに起因する発光装置の大型化を抑制することができる。通常、有機ＥＬ素子は支持基板上の全面に設けられるわけではなく、配線などの設計によっては第１放熱部１０を設けることが可能なスペースが存在することもある。たとえばこのようなスペースに第１放熱部１０を設けることによって装置の大型化を抑制することができる。
【００２２】
第１放熱部１０は熱伝導特性に優れる部材によって構成することが好ましい。なお第１放熱部１０の熱伝導特性は、一体的に形成される第２電極６と同じなので、この第２電極６を熱伝導特性に優れる部材によって構成することが好ましい。そのため熱伝導率に膜厚を積算した値が、第１電極よりも第２電極の方が大きいことが好ましい。上述したように、ボトムエミッション型の有機ＥＬ素子では第１電極４が光透過性を示す電極によって構成される。一般に、熱伝導率に膜厚を積算した値は、光透過性を示す第１電極よりも第２電極の方が高いため、ボトムエミッション型の有機ＥＬ素子では、熱伝導率に膜厚を積算した値は通常、第１電極よりも第２電極の方が大きくなる。そのためボトムエミッション型の有機ＥＬ素子では特殊な設計をすることなく、熱伝導特性に優れる部材によって第１放熱部１０を構成することができる。
【００２３】
また第２電極は、その熱伝導率が３０Ｗ／（ｍ・Ｋ）以上であることが好ましく、したがってこの第２電極と一体に形成される第１放熱部の熱伝導率は３０Ｗ／（ｍ・Ｋ）以上であることが好ましい。このように第２電極および第１放熱部を熱伝導率の高い部材によって構成することで、発光装置の放熱特性を向上することができる。３０Ｗ／（ｍ・Ｋ）以上の第２電極および第１放熱部は、アルミニウム（Ａｌ）、銅（Ｃｕ）、銀（Ａｇ）、金（Ａｕ）、鉄（Ｆｅ）、ケイ素（Ｓｉ）、炭素（Ｃ）を含む薄膜によって構成することができる。
【００２４】
また第２電極の膜厚は１００ｎｍ以上であることが好ましく、したがってこの第２電極と一体に形成される第１放熱部の膜厚も１００ｎｍ以上であることが好ましい。このように第２電極および第１放熱部の膜厚を厚くすることによってその熱伝導性を高めることができ、第２電極から第１放熱部に熱を効率的に伝導することができる。なお放熱特性の観点からは第２電極および第１放熱部の膜厚にはその上限が特に設定されるわけではないが、第２電極および第１放熱部を形成する際に要する時間などを考慮すると、膜厚の上限は２００μｍ程度である。
【００２５】
＜発光装置の作製＞
次に発光装置の製造方法について説明する。まず支持基板２を用意する。ボトムエミッション型の有機ＥＬ素子を支持基板２上に搭載する場合、この支持基板には光透過性を示す基板が用いられる。支持基板には、たとえばガラス板、プラスチック、高分子フィルム、およびシリコン板、並びにこれらを積層したものなどが用いられる。
【００２６】
次に第１電極４、第１取出電極７、および第２取出電極８を支持基板２上に形成する。これらは、たとえば導電性薄膜を支持基板２上に形成し、さらにフォトリソグラフィ法によって導電性薄膜を所定の形状にパターニングすることによって形成することができる。
【００２７】
第１電極４、第１取出電極７、および第２取出電極８は、同一の部材によって形成することが好ましい。同一の工程で第１電極４、第１取出電極７、および第２取出電極８を形成することができるため、装置作製に要する工程を簡略化することができるからである。第１電極４、第１取出電極７、および第２取出電極８は、たとえば後述する陽極または陰極を構成する部材によって形成することができる。
【００２８】
また第１取出電極７および第２取出電極８は、支持基板２との密着性が良好な部材によって構成することが好ましい。一般に、有機ＥＬ素子３の劣化を抑制するために、発光装置には封止が施される。封止は、たとえばまず所定の封止基板を用意し、次に封止基板上の周縁部に接着剤を配置し、さらにこの封止基板を支持基板に貼り合わせることによって行われる。このように封止基板と支持基板とを貼り合せたとしても、第１取出電極７および第２取出電極８と、支持基板２との密着性が悪い場合、この第１取出電極７および第２取出電極８によって封止領域中の気密性が低下するおそれがあるが、支持基板２との密着性が良好な部材によって第１取出電極７および第２取出電極８を構成することにより、封止した際に、封止領域内の気密性を高めることができる。たとえば支持基板がガラス基板によって構成される場合、このガラス基板と密着性の高い部材として、インジウムスズ酸化物（Ｉｎｄｉｕｍ Ｔｉｎ Ｏｘｉｄｅ：略称ＩＴＯ）、クロム（Ｃｒ）またはモリブデン（Ｍｏ）によって第１取出電極７および第２取出電極８を形成することが好ましい。
【００２９】
次に有機ＥＬ層５を形成する。前述したように有機ＥＬ層５は、第１電極４を覆うように形成する。なお平面視で第１電極４から延在する部分は、所定の部材間の電気絶縁を確保するために設けられているため、所定の部材間の電気絶縁を確保できるように形成されていればよく、有機ＥＬ層５が２層以上設けられる場合、全ての有機ＥＬ層を平面視で第１電極４から延在するように形成してもよいが、複数ある有機ＥＬ層のうちでたとえば電気絶縁性の高い有機ＥＬ層のみを平面視で第１電極４から延在するように形成し、他の有機ＥＬ層を第１電極４上のみに形成してもよい。
【００３０】
次に第２電極６、接続電極９、第１放熱部１０を形成する。これらはたとえば所定の部位に開口が形成されたマスクを支持基板２上に配置し、このマスクを介して所定の材料を堆積することによって形成することができる。第２電極６、接続電極９、第１放熱部１０は、たとえば後述する陽極または陰極を構成する部材によって形成することができる。
【００３１】
上述の実施形態では図１に示すように平面視で第１放熱部１０と第１取出電極７とを重ならないように配置しているため、特別に絶縁部材を配置することなく第１放熱部１０と第１取出電極７との電気的な絶縁を確保することができるが、放熱特性の観点からは平面視で第１取出電極７を、第１放熱部１０に重なる位置にまで広げることが好ましい。図２は、第１放熱部１０に重なる位置にまで第１取出電極７を広げた形態の発光装置１を模式的に示す図である。
【００３２】
図２（１）は発光装置１の平面図であり、図２（２）は図２（１）の切断面線ＩＩ−ＩＩから見た発光装置１の断面図であり、図２（３）は図２（１）の切断面線ＩＩＩ−ＩＩＩから見た発光装置１の断面図である。図２に示す実施形態の発光装置は、図１に示す実施形態の発光装置と第１取出電極の構造が異なる。また実施形態の発光装置は、第１取出電極の構造の違いに起因して必要となる電気絶縁膜をさらに有する。なお図２に示す本実施の形態の発光装置１において図１に示す前述の実施形態の発光装置１と対応する部分については、前述の実施形態の発光装置と同一の符号を付すとともに、重複する説明を省略することがある。
【００３３】
本実施形態の第１取出電極７は、第１電極４の周縁部のうちの、第２取出電極８側の端部を除く残余の周縁部から延在するように形成されている。すなわち第１取出電極７は、第１電極４の第２方向Ｙの一方の端部および他方の端部からも第２方向Ｙに延在するように形成されている。第１取出電極７のうちで、第１電極４から第２方向Ｙに延在する部分は、平面視で第１放熱部１０と重なるように配置されている。換言すると、平面視で第１放熱部１０の少なくとも一部が第１取出電極７と重なるように配置されている。また本実施形態では、平面視で、第１放熱部１０と第１取出電極７とが重なる部位において、前記第１放熱部１０と第１取出電極７との間に電気絶縁膜１１が設けられている。このように電気絶縁膜１１を設けることによって、第１放熱部１０と第１取出電極７との電気的な絶縁を確保することができる。
【００３４】
本実施形態では第２電極６を形成する工程の前に電気絶縁膜１１を形成する。電気絶縁膜１１は、有機ＥＬ層５を形成した後に形成してもよく、また有機ＥＬ層５を形成する前に形成してもよいが、有機ＥＬ層５を形成する前に形成することが好ましい。電気絶縁膜１１を形成する際に有機ＥＬ層５に損傷を与えることを防ぐことができるためである。たとえば光硬化性樹脂を用いてフォトリソグラフィ法によって、電気絶縁膜１１をパターン形成することができる。またたとえば酸化ケイ素（ＳｉＯ２）、窒化ケイ素（ＳｉＮ）、酸化チタン（ＴｉＯ２）、窒化チタンＴｉＮを真空蒸着法、スパッタリング法、プラズマＣＶＤ法、イオンプレーティング法などによって形成することで、電気絶縁膜１１をパターン形成することができる。
【００３５】
以上説明したように、第１放熱部１０に重なる位置にまで第１取出電極７を広げることによって、有機ＥＬ素子に発生した熱を、第１電極から第２方向Ｙに延在する第２取出電極７に拡散させることができる。第２取出電極７の第２方向Ｙの一方および他方に拡散した熱は、さらに支持基板に拡散して、外界に拡散する。このように第１放熱部１０に重なる位置にまで第１取出電極７を広げることによって、有機ＥＬ素子３の温度上昇を抑制することができる。
【００３６】
図３は本発明の他の実施形態の発光装置１を模式的に示す図である。図３（１）は発光装置１の平面図であり、図３（２）は図３（１）の切断面線ＩＩ−ＩＩから見た発光装置１の断面図であり、図３（３）は図３（１）の切断面線ＩＩＩ−ＩＩＩから見た発光装置１の断面図である。本実施形態の発光装置１は、前述の各実施形態の発光装置に加えて、第２放熱部１２をさらに備える。なお図３に示す本実施形態の発光装置１において図２に示す前述の実施形態の発光装置１と対応する部分については、前述の実施形態の発光装置と同一の符号を付すとともに、重複する説明を省略することがある。
【００３７】
本実施形態の発光装置１は、第２取出電極８上において前記接続電極９から延在する第２放熱部１２をさらに備える。本実施形態における第２放熱部１２は、図２に示す前述の実施形態の接続電極９の周縁から延在して、第２取出電極８上に形成されている。
【００３８】
発光装置１を使用する際には有機ＥＬ素子３が発熱するが、素子３に発生した熱は、第２電極６から第１放熱部１０に拡散するだけでなく、第２放熱部１２にも拡散する。そして第２放熱部１２に拡散した熱は、さらに第２放熱部１２から外界に拡散する。このように熱を外界に拡散する第２放熱部１２をさらに設けることによって、有機ＥＬ素子３の温度上昇をさらに抑制することができる。
【００３９】
上述の各実施形態の発光装置では、接続電極９と第１取出電極７とを別体の部材として説明し、接続電極９が第１取出電極７にまで延在することによって、接続電極９と第１取出電極７とが電気的に接続されるとしたが、接続電極９と第１取出電極７とは一体的に形成されていてもよい。図４は、接続電極９と第１取出電極７とが一体的に形成された発光装置を模式的に示す図である。図４（１）は発光装置１の平面図であり、図４（２）は図４（１）の切断面線ＩＩ−ＩＩから見た発光装置１の断面図であり、図４（３）は図４（１）の切断面線ＩＩＩ−ＩＩＩから見た発光装置１の断面図である。図４に示す実施形態の発光装置１では、第２電極６の端部から接続電極９が延在するとともに、この接続電極９の周縁部から第２取出電極８が延在している。そして第２電極６、接続電極９および第２取出電極８が一体的に形成されている。
【００４０】
前述の実施形態では、有機ＥＬ層を形成する前に第２取出電極８を形成するとしたが、本実施形態では、第２取出電極８は、第２電極６および接続電極９を形成する工程と同一の工程で形成する。
【００４１】
前述したように、ボトムエミッション型の有機ＥＬ素子では、通常、第２電極６の方が放熱特性が高いため、このような第２電極６と同じ部材によって第２取出電極８を形成することで、発光装置の放熱特性をさらに高めることができる。
【００４２】
また本発明の他の実施形態の発光装置は前記第１取出電極に接して設けられている補助放熱部をさらに備える。図５に補助放熱部を備える発光装置の一例を示す。図５（１）は発光装置１の平面図であり、図５（２）は図５（１）の切断面線ＩＩ−ＩＩから見た発光装置１の断面図であり、図５（３）は図５（１）の切断面線ＩＩＩ−ＩＩＩから見た発光装置１の断面図である。この補助放熱部２１は、たとえば前述の各実施形態の発光装置の構成要素に加えてさらに設けられる。補助放熱部２１は熱伝導率に膜厚を積算した値が前記第１取出電極よりも大きい。補助放熱部２１は、第１取出電極の２つの主面のいずれか一方に接して設けられていればよく、また２つの主面の両方に接して設けられていてもよい。前述したように、ボトムエミッション型の有機ＥＬ素子では、第１電極と同様、第１取出電極も光透過性を示す電極によって構成されるが、第１取出電極に接して設けられる補助放熱部２１は光透過性を示す部材によって構成する必要はない。光透過性を示す電極は通常、放熱特性が必ずしも良好ではなく、本実施形態のように、補助放熱部２１を設けることによって、発光装置の放熱特性をさらに高めることができる。また熱伝導率に膜厚を積算した値が前記第１取出電極よりも大きい補助放熱部２１は、第１取出電極の補助電極としても機能するため、このような補助放熱部２１を設けることによって、発光装置の発光効率を向上させることができる。
【００４３】
＜有機ＥＬ素子の構成＞
前述したように有機ＥＬ素子は種々の層構成をとりうるが、以下では有機ＥＬ素子の層構造、各層の構成、および各層の形成方法についてさらに詳しく説明する。
【００４４】
前述したように有機ＥＬ素子は、陽極および陰極からなる一対の電極（第１および第２電極）と、該電極間に設けられる１または複数の有機ＥＬ層とを含んで構成され、１または複数の有機ＥＬ層として少なくとも１層の発光層を有する。なお有機ＥＬ素子は、無機物と有機物とを含む層、および無機層などを含んでいてもよい。有機層を構成する有機物としては、低分子化合物でも高分子化合物でもよく、また低分子化合物と高分子化合物との混合物でもよい。有機層は、高分子化合物を含むことが好ましく、ポリスチレン換算の数平均分子量が１０３〜１０８である高分子化合物を含むことが好ましい。
【００４５】
陰極と発光層との間に設けられる有機ＥＬ層としては、電子注入層、電子輸送層、正孔ブロック層などを挙げることができる。陰極と発光層との間に電子注入層と電子輸送層との両方の層が設けられる場合、陰極に近い層を電子注入層といい、発光層に近い層を電子輸送層という。陽極と発光層との間に設けられる有機ＥＬ層としては、正孔注入層、正孔輸送層、電子ブロック層などを挙げることができる。正孔注入層と正孔輸送層との両方の層が設けられる場合、陽極に近い層を正孔注入層といい、発光層に近い層を正孔輸送層という。
【００４６】
本実施の形態の有機ＥＬ素子のとりうる層構成の一例を以下に示す。
ａ）陽極／発光層／陰極
ｂ）陽極／正孔注入層／発光層／陰極
ｃ）陽極／正孔注入層／発光層／電子注入層／陰極
ｄ）陽極／正孔注入層／発光層／電子輸送層／陰極
ｅ）陽極／正孔注入層／発光層／電子輸送層／電子注入層／陰極
ｆ）陽極／正孔輸送層／発光層／陰極
ｇ）陽極／正孔輸送層／発光層／電子注入層／陰極
ｈ）陽極／正孔輸送層／発光層／電子輸送層／陰極
ｉ）陽極／正孔輸送層／発光層／電子輸送層／電子注入層／陰極
ｊ）陽極／正孔注入層／正孔輸送層／発光層／陰極
ｋ）陽極／正孔注入層／正孔輸送層／発光層／電子注入層／陰極
ｌ）陽極／正孔注入層／正孔輸送層／発光層／電子輸送層／陰極
ｍ）陽極／正孔注入層／正孔輸送層／発光層／電子輸送層／電子注入層／陰極
ｎ）陽極／発光層／電子注入層／陰極
ｏ）陽極／発光層／電子輸送層／陰極
ｐ）陽極／発光層／電子輸送層／電子注入層／陰極
（ここで、記号「／」は、記号「／」を挟む各層が隣接して積層されていることを示す。以下同じ。）
【００４７】
本実施の形態の有機ＥＬ素子は２層以上の発光層を有していてもよい。上記ａ）〜ｐ）の層構成のうちのいずれか１つにおいて、陽極と陰極とに挟持された積層体を「構造単位Ａ」とすると、２層の発光層を有する有機ＥＬ素子の構成として、下記ｑ）に示す層構成を挙げることができる。なお２つある（構造単位Ａ）の層構成は互いに同じでも、異なっていてもよい。
ｑ）陽極／（構造単位Ａ）／電荷発生層／（構造単位Ａ）／陰極
また「（構造単位Ａ）／電荷発生層」を「構造単位Ｂ」とすると、３層以上の発光層を有する有機ＥＬ素子の構成として、下記ｒ）に示す層構成を挙げることができる。
ｒ）陽極／（構造単位Ｂ）ｘ／（構造単位Ａ）／陰極
なお記号「ｘ」は、２以上の整数を表し、（構造単位Ｂ）ｘは、構造単位Ｂがｘ段積層された積層体を表す。また複数ある（構造単位Ｂ）の層構成は同じでも、異なっていてもよい。
【００４８】
ここで、電荷発生層とは電界を印加することにより正孔と電子を発生する層である。電荷発生層としては、たとえば酸化バナジウム、インジウムスズ酸化物（Ｉｎｄｉｕｍ Ｔｉｎ Ｏｘｉｄｅ：略称ＩＴＯ）、酸化モリブデンなどから成る薄膜を挙げることができる。
【００４９】
有機ＥＬ素子は、陽極および陰極から構成される一対の電極のうちの陽極を陰極よりも支持基板寄りに配置して、支持基板に設けてもよく、また陰極を陽極よりも支持基板寄りに配置して、支持基板に設けてもよい。たとえば上記ａ）〜ｒ）において、右側から順に各層を支持基板上に積層して有機ＥＬ素子を構成してもよく、また左側から順に各層を支持基板上に積層して有機ＥＬ素子を構成してもよい。積層する層の順序、層数、および各層の厚さについては、発光効率や素子寿命を勘案して適宜設定することができる。
【００５０】
次に有機ＥＬ素子を構成する各層の材料および形成方法についてより具体的に説明する。
【００５１】
＜陽極＞
発光層から放たれる光が陽極を通って素子外に出射する構成の有機ＥＬ素子の場合、陽極には光透過性を示す電極が用いられる。光透過性を示す電極としては、金属酸化物、金属硫化物および金属などの薄膜を用いることができ、電気伝導度および光透過率の高いものが好適に用いられる。具体的には酸化インジウム、酸化亜鉛、酸化スズ、ＩＴＯ、インジウム亜鉛酸化物（Ｉｎｄｉｕｍ Ｚｉｎｃ Ｏｘｉｄｅ：略称ＩＺＯ）、金、白金、銀、および銅などから成る薄膜が用いられ、これらの中でもＩＴＯ、ＩＺＯ、または酸化スズから成る薄膜が好適に用いられる。
【００５２】
陽極の作製方法としては、真空蒸着法、スパッタリング法、イオンプレーティング法、メッキ法などを挙げることができる。また陽極として、ポリアニリンもしくはその誘導体、ポリチオフェンもしくはその誘導体などの有機の透明導電膜を用いてもよい。
【００５３】
陽極の膜厚は、求められる特性や成膜工程の簡易さなどを考慮して適宜設定され、たとえば１０ｎｍ〜１０μｍである。
【００５４】
＜陰極＞
陰極の材料としては、仕事関数が小さく、発光層への電子注入が容易で、電気伝導度の高い材料が好ましい。また陽極側から光を取出す構成の有機ＥＬ素子では、発光層から放たれる光を陰極で陽極側に反射するために、陰極の材料としては可視光に対する反射率の高い材料が好ましい。陰極には、たとえばアルカリ金属、アルカリ土類金属、遷移金属および周期表の１３族金属などを用いることができる。陰極の材料としては、たとえばリチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムなどの金属、前記金属のうちの２種以上の合金、前記金属のうちの１種以上と、金、銀、白金、銅、マンガン、チタン、コバルト、ニッケル、タングステン、錫のうちの１種以上との合金、またはグラファイト若しくはグラファイト層間化合物などが用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金などを挙げることができる。また陰極としては導電性金属酸化物および導電性有機物などから成る透明導電性電極を用いることができる。具体的には、導電性金属酸化物として酸化インジウム、酸化亜鉛、酸化スズ、ＩＴＯ、およびＩＺＯを挙げることができ、導電性有機物としてポリアニリンもしくはその誘導体、ポリチオフェンもしくはその誘導体などを挙げることができる。なお陰極は、２層以上を積層した積層体で構成されていてもよい。なお電子注入層が陰極として用いられることもある。
【００５５】
陰極の膜厚は、求められる特性や成膜工程の簡易さなどを考慮して適宜設定され、たとえば１０ｎｍ〜１０μｍである。
【００５６】
陰極の作製方法としては、真空蒸着法、スパッタリング法、また金属薄膜を熱圧着するラミネート法などを挙げることができる。
【００５７】
＜正孔注入層＞
正孔注入層を構成する正孔注入材料としては、酸化バナジウム、酸化モリブデン、酸化ルテニウム、および酸化アルミニウムなどの酸化物や、フェニルアミン系化合物、スターバースト型アミン系化合物、フタロシアニン系化合物、アモルファスカーボン、ポリアニリン、およびポリチオフェン誘導体などを挙げることができる。
【００５８】
正孔注入層の膜厚は、求められる特性および成膜工程の簡易さなどを考慮して適宜設定され、たとえば１ｎｍ〜１μｍであり、好ましくは２ｎｍ〜５００ｎｍであり、さらに好ましくは５ｎｍ〜２００ｎｍである。
【００５９】
＜正孔輸送層＞
正孔輸送層を構成する正孔輸送材料としては、ポリビニルカルバゾール若しくはその誘導体、ポリシラン若しくはその誘導体、側鎖若しくは主鎖に芳香族アミンを有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリアリールアミン若しくはその誘導体、ポリピロール若しくはその誘導体、ポリ（ｐ−フェニレンビニレン）若しくはその誘導体、又はポリ（２，５−チエニレンビニレン）若しくはその誘導体などを挙げることができる。
【００６０】
正孔輸送層の膜厚は、求められる特性および成膜工程の簡易さなどを考慮して設定され、たとえば１ｎｍ〜１μｍであり、好ましくは２ｎｍ〜５００ｎｍであり、さらに好ましくは５ｎｍ〜２００ｎｍである。
【００６１】
＜発光層＞
発光層は、通常、主として蛍光及び／又はりん光を発光する有機物、または該有機物とこれを補助するドーパントとから形成される。ドーパントは、たとえば発光効率の向上や、発光波長を変化させるために加えられる。なお発光層を構成する有機物は、低分子化合物でも高分子化合物でもよく、塗布法によって発光層を形成する場合には、発光層は高分子化合物を含むことが好ましい。発光層を構成する高分子化合物のポリスチレン換算の数平均分子量はたとえば１０３〜１０８程度である。発光層を構成する発光材料としては、たとえば以下の色素系材料、金属錯体系材料、高分子系材料、ドーパント材料を挙げることができる。
【００６２】
（色素系材料）
色素系材料としては、たとえば、シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、ピラゾリンダイマー、キナクリドン誘導体、クマリン誘導体などを挙げることができる。
【００６３】
（金属錯体系材料）
金属錯体系材料としては、たとえばＴｂ、Ｅｕ、Ｄｙなどの希土類金属、またはＡｌ、Ｚｎ、Ｂｅ、Ｉｒ、Ｐｔなどを中心金属に有し、オキサジアゾール、チアジアゾール、フェニルピリジン、フェニルベンゾイミダゾール、キノリン構造などを配位子に有する金属錯体を挙げることができ、たとえばイリジウム錯体、白金錯体などの三重項励起状態からの発光を有する金属錯体、アルミニウムキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、フェナントロリンユーロピウム錯体などを挙げることができる。
【００６４】
（高分子系材料）
高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素系材料や金属錯体系発光材料を高分子化したものなどを挙げることができる。
【００６５】
発光層の厚さは、通常約２ｎｍ〜２００ｎｍである。
【００６６】
＜電子輸送層＞
電子輸送層を構成する電子輸送材料としては、公知のものを使用でき、オキサジアゾール誘導体、アントラキノジメタン若しくはその誘導体、ベンゾキノン若しくはその誘導体、ナフトキノン若しくはその誘導体、アントラキノン若しくはその誘導体、テトラシアノアンスラキノジメタン若しくはその誘導体、フルオレノン誘導体、ジフェニルジシアノエチレン若しくはその誘導体、ジフェノキノン誘導体、又は８−ヒドロキシキノリン若しくはその誘導体の金属錯体、ポリキノリン若しくはその誘導体、ポリキノキサリン若しくはその誘導体、ポリフルオレン若しくはその誘導体などを挙げることができる。
【００６７】
電子輸送層の膜厚は、求められる特性や成膜工程の簡易さなどを考慮して適宜設定され、たとえば１ｎｍ〜１μｍであり、好ましくは２ｎｍ〜５００ｎｍであり、さらに好ましくは５ｎｍ〜２００ｎｍである。
【００６８】
＜電子注入層＞
電子注入層を構成する材料としては、発光層の種類に応じて最適な材料が適宜選択され、アルカリ金属、アルカリ土類金属、アルカリ金属およびアルカリ土類金属のうちの１種類以上を含む合金、アルカリ金属若しくはアルカリ土類金属の酸化物、ハロゲン化物、炭酸塩、またはこれらの物質の混合物などを挙げることができる。アルカリ金属、アルカリ金属の酸化物、ハロゲン化物、および炭酸塩の例としては、リチウム、ナトリウム、カリウム、ルビジウム、セシウム、酸化リチウム、フッ化リチウム、酸化ナトリウム、フッ化ナトリウム、酸化カリウム、フッ化カリウム、酸化ルビジウム、フッ化ルビジウム、酸化セシウム、フッ化セシウム、炭酸リチウムなどを挙げることができる。また、アルカリ土類金属、アルカリ土類金属の酸化物、ハロゲン化物、炭酸塩の例としては、マグネシウム、カルシウム、バリウム、ストロンチウム、酸化マグネシウム、フッ化マグネシウム、酸化カルシウム、フッ化カルシウム、酸化バリウム、フッ化バリウム、酸化ストロンチウム、フッ化ストロンチウム、炭酸マグネシウムなどを挙げることができる。電子注入層は、２層以上を積層した積層体で構成されてもよく、たとえばＬｉＦ／Ｃａなどを挙げることができる。
【００６９】
電子注入層の膜厚としては、１ｎｍ〜１μｍ程度が好ましい。
【００７０】
上述の各有機ＥＬ層は、スピンコート法や、インクジェットプリント法、キャップコート法、ノズルプリンティング法、凸版印刷法、および凹版印刷法などの塗布法、真空蒸着法、ラミネート法、スプレーコート法、スリットダイコート法などによって形成することができる。
【００７１】
なお塗布法では、各有機ＥＬ層となる有機ＥＬ材料を含むインキを塗布成膜することによって有機ＥＬ層を形成するが、その際に使用されるインキの溶媒には、たとえばクロロホルム、塩化メチレン、ジクロロエタンなどの塩素系溶媒、テトラヒドロフランなどのエーテル系溶媒、トルエン、キシレンなどの芳香族炭化水素系溶媒、アセトン、メチルエチルケトンなどのケトン系溶媒、酢酸エチル、酢酸ブチル、エチルセルソルブアセテートなどのエステル系溶媒、および水などが用いられる。
【符号の説明】
【００７２】
１    発光装置
２    支持基板
３    有機ＥＬ素子
４    第１電極
５    有機ＥＬ層
６    第２電極
７    第１取出電極
８    第２取出電極
９    接続電極
１０    第１放熱部
１１    電気絶縁膜
１２    第２放熱部
２１    補助放熱部
【図１】
2011210409.tif 000003
【図２】
2011210409.tif 000004
【図３】
2011210409.tif 000005
【図４】
2011210409.tif 000006
【図５】
2011210409.tif 000007